(57)【要約】      （修正有）【課題】掛け止め部を主部から外すことなく釣具の連結環を着脱することが可能であるとともに、強度があり、その強度が劣化しにくい釣用スナップを提供する。【解決手段】釣用スナップ１は、金属線材２が、一端部分にＵ字状の第１の掛け止め部３を有するとともに他端部分にＵ字状の第２の掛け止め４部を有し、中ほどの主部２ａをはさむ両側を互いに接近する向きにそれぞれ折り曲げたうえ各掛け止め部３・４を他方の掛け止め部を越えた位置で主部２ａに掛け止めることにより二つの環状部５・６を有するように形成されている。第１の掛け止め部３は、Ｕ字をなす曲がり部分３ａの内側の半径ＲＬを、当該掛け止め部３の先端３ｂを通して金属線材２に嵌める釣具の連結環を当該曲がり部分３ａに沿って主部２ａの外側を周回させ得るよう、主部２ａに対して隙間を有する大きさとした。【選択図】図１
0003163485.tif 000002
【実用新案登録請求の範囲】
【請求項１】
金属線材が、両端部分のそれぞれにＵ字状の第１の掛け止め部とＵ字状の第２の掛け止め部とを有し、中ほどの主部をはさむ両側を互いに接近する向きにそれぞれ折り曲げたうえ各掛け止め部を他方の掛け止め部を越えた位置で主部に掛け止めることにより二つの環状部を有するように形成された釣用スナップであって、
両端部分の各掛け止め部のうち第１の掛け止め部は、Ｕ字をなす曲がり部分の内側の半径を、当該掛け止め部の先端を通して金属線材に嵌める釣具の連結環を当該曲がり部分に沿って主部の外側を周回させ得るほどに主部の外周の半径を上回る大きさとしたことを特徴とする釣用スナップ。
【請求項２】
上記した二つの掛け止め部のうち上記第１の掛け止め部における曲がり部分の内側の半径は、上記の大きさであるとともに、それよりも曲がり部分の内側の半径が小さい第２の掛け止め部がすり抜けられない大きさとなるように、寸法を定めたことを特徴とする請求項１に記載の釣用スナップ。
【請求項３】
第１の掛け止め部と第２の掛け止め部とは主部の中心線をはさんで互いに反対向きに突出したものとし、上記二つの環状部を略同一の平面内に形成し、外力を受けない常態においては、金属線材の上記主部と上記第１の掛け止め部との間、および、上記第１の掛け止め部付近の金属線材と上記第２の掛け止め部付近の金属線材との間に、接触部分か、または釣具の連結環の直径を下回る間隔の接近部分かが存在するように形成したことを特徴とする請求項１または２に記載の釣用スナップ。
【請求項４】
上記第１の掛け止め部付近の金属線材と上記第２の掛け止め部付近の金属線材との間に上記のとおり接触部分または接近部分を設けるために、少なくとも一方の掛け止め部に近い箇所で金属線材の一部に、他方の掛け止め部付近の金属線材に接近する方向への屈曲部分を形成したことを特徴とする請求項３に記載の釣用スナップ。
【考案の詳細な説明】
【技術分野】
【０００１】
請求項に係る考案は、各種釣具の連結環（ルアーのアイなど）を取り付けることのできる釣用スナップに関するものである。
【背景技術】
【０００２】
釣糸とルアーとを接続する手段として、スナップと呼ばれる、金属線材で形成された連結具が用いられている。よく利用されるスナップとして、一つの環状部を有するクイックスナップと、二つの環状部を有するツイン（クロス）ロックスナップとがある。
【０００３】
クイックスナップの一例を図４に示す。クイックスナップ１’は、１本の金属線材２’の、ほぼ直線状の主部２ａ’の両側に曲げ加工を施して、一方の側にリング１１’を形成し、他方の側に環状部２１’を形成している。リング１１’においては、金属線材２’の端部２ｂ’は主部２ａ’に密着させて巻き付けられている。環状部２１’においては、金属線材２’のもう一方の端部２ｃ’は、リング１１’寄りに曲げられたうえ、主部２ａ’に対して隙間Ｓ’をあけて巻き付けられている。
【０００４】
このようなクイックスナップ１’にルアーの連結環（アイと呼ばれる。図示せず）を取り付ける場合、連結環を金属線材２’の端部２ｃ’に通し、主部２ａ’の回りの隙間Ｓ’に沿って滑らせて環状部２１’に到達させる。ルアーを外す際は、環状部２１’に入れた時と反対の向きに連結環を移動させ、金属線材２’の端部２ｃ’から抜き出す。
【０００５】
一方、ツインロックスナップには、たとえば特許文献１に記載のスナップがある。そのスナップは、両端にＵ字形の掛け止め部を形成した金属線材の両側を中央部に向けて環を描くように曲げたうえ、各掛け止め部を、互いに他方の掛け止め部を越える位置で（つまりクロスさせるように）金属線材の主部に掛け止めている。本考案によるスナップも、図１・図３に示すようにその点は同様であり、ツインロックスナップの特徴を有している。ただし、従来のツインロックスナップでは、掛け止め部のＵ字形の内側の間隔は、掛け止めた金属線材に密に嵌る寸法とされている。
【０００６】
このようなツインロックスナップにルアーを接続する際は、一方の環状部を大きく曲げる方向につまんで掛け止め部を主部から一旦外したうえ、ルアーの連結環を掛け止め部の先端から通して環状部に入れ、再び掛け止め部を主部に掛けて環状部を閉じる。ルアーを外す際は、この逆の手順に従う。
【先行技術文献】
【特許文献】
【０００７】
【特許文献１】実開昭５４−９９８８６号公報
【考案の概要】
【考案が解決しようとする課題】
【０００８】
上記のクイックスナップ１’（図４）は、連結環の取り付けまたは取り外しの作業を、主部２ａ’の回りの隙間Ｓ’に連結環を滑らせるだけで容易に行える利点があるものの、引張り力を受けるときそれに抗する強度が低いという課題がある。すなわち、巻き付けた端部２ｃ’がリング１１’から離れていく向きの動きを阻止する要素を持たないため、釣り中にスナップ１’が強い（１０ｋｇ程度の）引張り力を受けた場合、環状部２１’等が伸びて端部２ｃ’が主部２ａ’から分離する結果、連結環が意図せずに外れてしまうことがある。
【０００９】
一方、特許文献１等に示されるツインロックスナップは、二つの掛け止め部がクロスする位置にあるため、引張り力を受けても、各掛け止め部が他方の掛け止め部の移動を阻止する結果、環状部が閉じた状態に保たれやすい。したがって、クイックスナップよりも大きい３５ｋｇ程度の引張り力にも耐えることができる。
【００１０】
しかし、従来のツインロックスナップは、強度面で有利である反面、ルアー等の連結環を着脱する際の作業性には課題がある。その着脱の際、掛け止め部を金属線材の主部から外すために相当な力を必要とし、ルアーの連結や解除が容易には行えない。また、掛け止め部の開閉（主部から外す等の操作）を繰り返すうちに金属線材の変形や劣化を招き、ルアーの連結環が外れてしまうこともあった。
【００１１】
上記の観点から、本考案は、釣具の連結環を着脱することが容易であるとともに、引張り力に抗する強度が高くてその強度が低下しにくい釣用スナップを提供することを目的とする。
【課題を解決するための手段】
【００１２】
上記の課題を解決するため、考案の釣用スナップは、
・  金属線材が、両端部分のそれぞれにＵ字状の第１の掛け止め部とＵ字状の第２の掛け止め部とを有し、中ほどの主部をはさむ両側を互いに接近する向きにそれぞれ折り曲げたうえ各掛け止め部を他方の掛け止め部を越えた位置で（つまりクロスするように）主部に掛け止めることにより二つの環状部を有するように形成された釣用スナップ（前述のツインロックスナップに該当するもの）であって、
・  両端部分の各掛け止め部のうち第１の掛け止め部は、Ｕ字をなす曲がり部分の内側の半径を、当該掛け止め部の先端を通して金属線材に嵌める釣具の連結環（ルアーのアイなど）を当該曲がり部分に沿って主部の外側を周回させ得る程度に主部の外周の半径を上回る大きさとした
ことを特徴とする。
【００１３】
ここでいう掛け止め部は、金属線材の先端付近に１８０°前後の曲がり部分を形成することによって概ねＵ字状にした部分（たとえば図１（ｄ）・（ｅ）の部分）をいう。上記の釣用スナップでは、主部とつながる両端部のそれぞれに第１および第２の掛け止め部を有することとしている。上記スナップは、そうした掛け止め部を含む金属線材の両側を内向き（互いに接近する向き）に折り曲げ、図１（ｂ）のように、各掛け止め部を他方の掛け止め部を越えた位置で主部に掛け止めることにより、二つの環状部を形成したものである。考案により、第１の掛け止め部の曲げ半径は、図２（ａ）〜（ｄ）のように主部の外側に釣具の連結環を周回させ得る程度に大き目に設定している。
【００１４】
このように構成された釣用スナップであれば、曲がり部分の内側の半径が大きい第１の掛け止め部を主部に掛け止めたまま、容易にその先端から上記環状部の線材上にまで釣具の連結環を通すことができる。すなわち、第１の掛け止め部の先端に嵌めた連結環は、これを引張っるか、主部を押えるか、またはそれらを同時に行うかして、曲がり部分の内側と主部との間に確保される上記連結環が通る隙間を曲がり部分に沿って滑らせることにより、環状部（スナップの端部付近）にまで到達させることができる。この作業は、Ｕ字状の掛け止め部を主部から外さずに行うことができるうえ、掛け止め部を外すときほどの大きな力を必要としないので、短時間で容易に行うことができる。
【００１５】
連結環を釣用スナップから外すときはこの逆の手順に従えばよく、やはり大きな力を必要とせずに、短時間で容易に環状部から連結環を外すことができる。
【００１６】
このように、考案に係る釣用スナップは、掛け止め部を主部に掛け止めたままの状態で手早く容易に釣具の連結環を環状部に着脱することを可能にする。金属線材を大きく変形させることなく作業を行えるので、線材の劣化や曲がりが発生しにくく、したがって長期間の使用が可能になる。
【００１７】
上記した二つの掛け止め部のうち、第１の掛け止め部における曲がり部分の内側の半径は、上記した大きさであるとともに、それよりも曲がり部分の内側の半径が小さい第２の掛け止め部がすり抜けられない大きさとなるように、寸法を定めるのが好ましい。
【００１８】
こうした釣用スナップであれば、釣具の連結環を上記のように容易に環状部に取り付けることができるうえ、つぎのような利点がある。すなわち、二つの環状部を両側に引張るような強い負荷（引張り力）が作用したとき、環状部が変形して両掛け止め部が互いに接触し合うようになっても、各掛け止め部が互いに他方の掛け止め部を乗り越えたりすり抜けたりすることがないよう絡み合う。そのため、この釣用スナップには、大きな引張り力に抗し得る高い強度が備わっているといえる。
【００１９】
考案の釣用スナップについてはさらに、第１の掛け止め部と第２の掛け止め部とを主部の中心線をはさんで反対向きに突出したものとし、上記二つの環状部を略同一の平面内に形成するほか、外力を受けない常態（自然状態）においては、金属線材の主部と上記第１の掛け止め部との間、および、上記第１の掛け止め部付近の金属線材と上記第２の掛け止め部付近の金属線材との間（すなわち、二つの各環状部を形成する金属線材が交差するように近づく箇所）に、接触部分か、または釣具の連結環の太さを下回る間隔の接近部分かが存在するように形成したことを特徴とする。
図１のスナップ１の例では、金属線材の主部２ａと第１の掛け止め部３との間に接触部分７を設け、第１の掛け止め部３付近の金属線材と第２の掛け止め部４付近の金属線材との間に接近部分８を設けている（図１（ｂ）・（ｃ）参照）。
【００２０】
このような釣用スナップであれば、環状部に取り付けた連結環が環状部から外れるまでの過程では、上記第１の掛け止め部付近の金属線材と上記第２の掛け止め部付近の金属線材との間、および、金属線材の主部と上記第１の掛け止め部との間、の２箇所において上記の接近部分または接触部分を通過しなければならない。そのため、釣りを行っているとき等に、使用者の意図に反して連結環が環状部から外れるのを防止できる。
【００２１】
なお、上記二つの環状部を略同一の平面内に形成している（ただし、両掛け止め部付近では金属線材を交差させていることで生じるずれがある）ので、第１の掛け止め部付近と第２の掛け止め部付近との間に接触部分または接近部分を設けることが、構成上無理なく実現できる。また、第１の掛け止め部と第２の掛け止め部とを主部の中心線をはさんで反対向きに突出させるので、上記二つの環状部を略同一の平面内に形成するうえでも有利である。
【００２２】
上記第１の掛け止め部付近の金属線材と上記第２の掛け止め部付近の金属線材との間に上記のとおり接触部分または接近部分を設けるためには、少なくとも一方の掛け止め部に近い箇所で金属線材の一部に、他方の掛け止め部付近の金属線材に接近する方向への屈曲部分を形成するとよい。
【００２３】
このように形成されたスナップであれば、上記した接触部分または接近部分を設けやすく、簡単な構成で前記の効果を得ることができる。なお、「他方の掛け止め部付近の金属線材に接近する方向への屈曲部分」とは、それぞれの掛け止め部を主部に掛け止めるべく環状部の面内で曲げた部分ではなく、たとえば、環状部が含まれる平面から面外への方向へ屈曲させた部分をいい、図１（ａ）に示す屈曲部分９がその例である。図１の例では、屈曲部分９を形成したために接近部分８を設けやすくなった。屈曲部分９を形成しない場合には、二つの環状部５・６を略同一の平面内に形成するのが難しく、したがって厚みが増してスナップ１が嵩張るものとなる。
【図面の簡単な説明】
【００２４】
【図１】図１（ａ）は、考案の実施に係る一形態としての釣用スナップ１の平面図であり、同（ｂ）はその正面図、同（ｃ）はその右側面図である。また同（ｄ）は、同（ｂ）におけるｄ−ｄ線矢視にて第１の掛け止め部３を示す部分図であり、同（ｅ）は、同（ｂ）におけるｅ−ｅ線矢視にて第２の掛け止め部４を示す部分図である。
【図２】図２（ａ）〜（ｄ）は、釣用スナップ１にルアー１１のアイ１２を取り付ける手順を説明する図である。なお（ａ）〜（ｃ）においては、第２の掛け止め部４と第２の環状部６の図示は省略されている。
【図３】釣用スナップ１に、ルアー１１のアイ１２を取り付けた状態を示す全体図である。
【図４】従来のクイックスナップ１’を示す全体図である。
【考案を実施するための形態】
【００２５】
以下、考案の実施についての一形態を、図１〜図３に基づき説明する。
【００２６】
図１（ａ）・（ｂ）に示すように、釣用スナップ１は、１本の金属製ワイヤ２の、中ほどの主部２ａをはさむ両側を互いに接近する向きに曲げ、ワイヤ２の一端部分に形成したＵ字状の第１の掛け止め部３と、他端部分に形成したＵ字状の第２の掛け止め部４とを、互いに他方の掛け止め部を越えた位置で主部２ａに掛け止めることによって、二つの環状部、すなわち、第１の環状部５と第２の環状部６とを形成したものである。
【００２７】
二つの掛け止め部３・４は、それぞれのＵ字をなす１８０゜前後の曲がり部分３ａ・４ａが、図１（ｂ）・（ｃ）に示すように、主部２ａの中心線をはさんで互いに逆の向きになるように形成している。
【００２８】
第１の掛け止め部３は、曲がり部分３ａの内側の半径ＲＬ（図１（ｄ））を、以下のような大きさとしている。すなわち、図２（ｂ）のように主部２ａに対して隙間Ｓを有する大きさとし、ワイヤ２（主部２ａ）の太さ（直径）φ、ルアー１１のアイ１２（図３（ａ））の太さ（直径）Ｄに対して、
２ＲＬ ≧ φ＋Ｄ                    …（１）
となるようにしている。
【００２９】
また、外力を受けない常態（自然状態）においては、ワイヤ２の主部２ａと第１の掛け止め部３との間に、図１（ｂ）・（ｃ）に示すように接触部分７が存在するよう掛け止め部３を形成している。
【００３０】
釣用スナップ１は、上記のように大きめの曲げ半径にて曲がり部分３ａを形成した第１の掛け止め部３を有するので、ルアー１１のアイ１２を、図２（ａ）〜（ｄ）の手順にしたがって第１の環状部５に容易に装着することができる。すなわち、まず、釣用スナップ１の第１の環状部５を持ち、アイ１２を、掛け止め部３の先端部分３ｂに通してワイヤ２に嵌めたのち（図２（ａ））、掛け止め部３を、主部２ａに掛け止めたまま、主部２ａと曲がり部分３ａの内側の隙間Ｓを通過させる（同（ｂ））。さらに、上記の接触部分７を離す方向にアイ１２を引張っるか、主部２ａを押えるか、またはそれらを同時に行うかして、主部２ａと曲がり部分３ａとの間に空間を確保しながら、アイ１２を曲がり部分３ａに沿って主部２ａの外側を周回させ（同（ｃ））、第１の環状部５にまで到達させる（同（ｄ））。
【００３１】
ルアー１１を釣用スナップ１から取り外す際は、これとは逆の手順にしたがって、第１の環状部５からアイ１２を抜き取ることができる。
【００３２】
図１（ｄ）に示す第１の掛け止め部３における曲がり部分３ａの内側の半径ＲＬは、上記（１）式を満たす大きさであるとともに、第２の掛け止め部４が内側をすり抜けることのできない大きさとしている。第２の掛け止め部４については、曲がり部分４ａの内側が主部２ａの外側面にほぼ密着するよう形成するので、図１（ｅ）のとおり曲がり部分４ａの内側の半径をＲＳとすると、その外側の幅寸法は２ＲＳ＋２φで表すことができる。そのため、第１の掛け止め部３における曲がり部分３ａの内側の半径ＲＬは、
２ＲＬ ＜ ２ＲＳ＋２φ                    …（２）
をも満たす大きさとする。
【００３３】
この（２）式を満たすようにしたため、図３のように第１の環状部５にルアー１１のアイ１２を装着し、第２の環状部６に釣糸１３を結び付けた状態で、アイ１２と釣糸１３とによって釣用スナップ１が引っ張られる方向の負荷を受けた場合、二つの環状部５・６が変形して二つの掛け止め部３・４が接近し、強く接触し合う位置に移動したとしても、二つの掛け止め部３・４が互いに絡み合い、二つの環状部５・６は伸びてほどけることなく保持される。その結果、釣果やルアー１１が失われずに済む。
【００３４】
二つの環状部５・６は、図１（ａ）・（ｂ）に示すように、略同一の平面内に形成するとともに、第１の掛け止め部３付近のワイヤ２ｂと第２の掛け止め部４付近のワイヤ２ｃとの間に、アイ１２の太さＤを下回る間隔Ｗの接近部分８を設けている。この接近部分８は、上記のワイヤ２ｂに、ワイヤ２ｃと接近する方向への屈曲部分９（第１の環状部５が含まれる平面から面外に出る方向へ屈曲させた部分）を形成することにより設けている。
【００３５】
そうして接近部分８を設けたのは、ルアー１１のアイ１２がスナップ１から不意に外れルことを防止するためである。すなわち、釣用スナップ１の第１の環状部５に取り付けたアイ１２は、環状部５から外れるまでの過程で、上記の接近部分８と、前述の接触部分７（ワイヤ２の主部２ａと第１の掛け止め部３との間）との２箇所を通過しなければならない。そのため、釣り中にルアー１１が激しく動いたとき等に使用者の意図に反してアイ１２が環状部５から外れることが効果的に防止される。
【００３６】
これまで述べたように、図示の釣用スナップ１は、ルアーのアイのような連結環の着脱が容易に行えるとともに、強い引張り力に抗することができ、また、着脱の際に掛け止め部３の開閉が必要ないのでワイヤ２の変形や金属疲労を防止することもでき、長期間の安定的な使用を可能にする。
【実施例】
【００３７】
上記のように構成した釣用スナップ１の実施例を以下に示す。
【００３８】
ワイヤ２の材質：  ステンレス鋼
ワイヤ２の太さφ：  ０．７ｍｍ
アイの太さＤ：  １．３ｍｍ
隙間Ｓ：  １．３ｍｍ
曲がり部分３ａの内側半径ＲＬ：  １．０ｍｍ
曲がり部分４ａの内側半径ＲＳ：  ０．４ｍｍ
接近部分の間隔Ｗ：  ０．５ｍｍ
【００３９】
この実施例における釣用スナップ１では、第１の掛け止め部３の曲がり部分３ａの内側は、２．００ｍｍ（ＲＬ×２）の幅を有するので、直径φが０．７ｍｍの主部２ａに掛け止めたとき、主部２ａの片側に最大１．３ｍｍの隙間Ｓが確保できる。したがって、直径Ｄが１．３ｍｍのアイ１２を、第１の掛け止め部３を主部２ａから外すことなく、隙間Ｓを通過させて第１の環状部５まで到達させることが可能である。
【００４０】
しかも、第１の掛け止め部３の曲がり部分３ａの内側の幅（２．００ｍｍ）は、第２の掛け止め部４の外側の幅（２ＲＳ＋２φ＝２．２ｍｍ）より小さいため、スナップ１の環状部５・６間に引張り力が作用したときも、第１の掛け止め部３の内側を第２の掛け止め部４がすり抜けて環状部５・６が伸びてしまうことがない。
【符号の説明】
【００４１】
１  釣用スナップ
２  ワイヤ
２ａ  主部
３  第１の掛け止め部
３ａ  曲がり部分
３ｂ  先端部分
４  第２の掛け止め部
４ａ  曲がり部分
５  第１の環状部
６  第２の環状部
７  接触部分
８  接近部分
９  屈曲部分
１１  ルアー
１２  アイ
【図１】
0003163485.tif 000003
【図２】
0003163485.tif 000004
【図３】
0003163485.tif 000005
【図４】
0003163485.tif 000006